(57)【要約】【課題】表示パネルの輝度リニアリティを改善する。【解決手段】動画疑似輪郭が発生しやすい階調Ｘを表示する場合は、階調Ｘよりも下にある動画疑似輪郭が発生しにくい階調Ａと、階調Ｘよりも上にある動画疑似輪郭が発生しにくい階調Ｂを、混合して表示する。第１ディザ回路２２は階調Ａを出力し、第２ディザ回路２４は階調Ｂを出力する。階調Ａ、Ｂに対し、第１、第２輝度値変換テーブルを用い、それぞれの実効階調を出力する。実効階調は、パネル上で測定した明るさに相当する階調であるので、実効階調を用いて誤差拡散を行うと、輝度リニアリティを改善することができる。【選択図】図５
2009163091.tif 000002
【特許請求の範囲】
【請求項１】
入力階調を受け、輝度リニアリティが調整された階調を出力し、表示パネルを駆動する画像表示装置であって、
入力階調を受け、第１階調と第２階調を出力するディザ処理部と、
第１階調、第２階調を、パネル上の明るさと実質等しい明るさを表す第１実効階調、第２実効階調にそれぞれ変換する輝度値変換テーブルと、
第１実効階調と第２実効階調を混合して混合階調を生成するミキサと、
上記入力階調と混合階調との差分を誤差調整値として記録するラインメモリと、
誤差調整値を、新たに受けた入力階調に所定の割合で集積し、誤差調整された入力階調を生成する誤差拡散部とを有し、
誤差調整された入力階調を上記ディザ処理部に送り、ディザ処理部からの第１階調、第２階調を用いて表示パネルを駆動する画像表示装置。
【請求項２】
さらに、動画疑似輪郭が発生する階調と、発生しない階調とを判断する手段を有する、請求項１に記載の画像表示装置。
【請求項３】
さらに、誤差調整された入力階調の内、小数点以下を丸め、入力階調を整数部のみで表す手段を有する、請求項１に記載の画像表示装置。
【請求項４】
上記輝度値変換テーブルは、第１階調を、パネル上の明るさと実質等しい明るさを表す第１実効階調に変換する第１輝度値変換テーブルと、第２階調を、パネル上の明るさと実質等しい明るさを表す第２実効階調に変換する第２輝度値変換テーブルとを有する、請求項１に記載の画像表示装置。
【請求項５】
上記第１輝度値変換テーブルと第２輝度値変換テーブルは、同じ内容の情報が記憶されている、請求項４に記載の画像表示装置。
【請求項６】
さらに、上記第１階調と第２階調を交互に切り替える切り替えスイッチを有する請求項１に記載の画像表示装置。
【請求項７】
入力階調を受け、輝度リニアリティが調整された階調を出力し、表示パネルを駆動する画像表示方法であって、
ａ）入力階調を受け、第１階調と第２階調を出力するステップと、
ｂ）第１階調、第２階調を、パネル上の明るさと実質等しい明るさを表す第１実効階調、第２実効階調にそれぞれ変換するステップと、
ｃ）第１実効階調と第２実効階調を混合して混合階調を生成するステップと、
ｄ）上記入力階調と混合階調との差分を誤差調整値として記録するステップと、
ｅ）誤差調整値を、新たに受けた入力階調に所定の割合で集積し、誤差調整された入力階調を生成するステップとを有し、
誤差調整された入力階調を上記ステップａ）の入力階調として用い、さらに第１階調、第２階調を用いて表示パネルを駆動する画像表示方法。
【発明の詳細な説明】
【技術分野】
【０００１】
本発明は、画像表示装置および方法に関し、更に詳しくは、プラズマディスプレイパネル（ＰＤＰと言う。）などのパネルで表示される映像の輝度のリニアリティを確保する、輝度リニアリティの改善装置および方法に関する。
【背景技術】
【０００２】
ＰＤＰやデジタルミラーデバイス等、点灯あるいは非点灯の２値制御を行う画像表示装置は、サブフィールド法を用いて中間調表示を行うことが多い。サブフィールド法は、点灯回数あるいは点灯量で重み付けされた複数のサブフィールドを用いて１フィールドを時間分割し、サブフィールドごとに各画素の２値制御を行う。すなわち、各サブフィールドは所定の輝度重みを持ち、点灯するサブフィールドの輝度重みの合計によって階調を表示する方法である。
【０００３】
図１に従来のＰＤＰにおけるサブフィールドの構成の一例を示す。この例では、１フィールドが８つのサブフィールド（ＳＦ１、ＳＦ２、・・・、ＳＦ８）に分割され、それぞれのサブフィールドは（１、２、４、８、１６、３２、６４、１２８）の輝度の重み付けがなされている。各サブフィールドは、初期化放電を行う初期化期間Ｔ１と、画素ごとに点灯か非点灯かのデータ書き込みを行う書き込み期間（アドレス期間とも言う）Ｔ２と、点灯データの書き込まれた画素を一斉に点灯させる維持期間Ｔ３とからなる。これらのサブフィールドを種々組合せて点灯させることにより、「０」から「２５５」までの２５６段階の階調を表示できる。例えば、図２に示すように、階調１５は、輝度重み１、２、４、８を持つＳＦ１、ＳＦ２、ＳＦ３、ＳＦ４を点灯させることにより表示でき、階調１６は、輝度重み１６を持つＳＦ５を点灯させることにより表示できる。図２の表において、１は、使用するサブフィールドを示し、０は、使用しないサブフィールドを示す。このようにサブフィールドの組み合わせによって、全ての階調０−２２５を表示できる。
【０００４】
ところが，このように１フィールドを複数のサブフィールドに分割し，各サブフィールドのオン／オフに応じて階調を表示する場合，人間の視覚特性により動画疑似輪郭が発生することが知られている。
このような動画疑似輪郭を抑制する方法が種々提案されている。その一つに一定の条件を満足する階調のみを使用し、満足しない階調は使用しない方法がある（特許文献１の段落００４３，００４９）。
【０００５】
特許文献１によれば、満足する階調とは、
条件１：１番目のサブフィールドＳＦ１が点灯する、
条件２：連続する非発光サブフィールドの数が２つを超過しない、
を満たす階調であり、条件１，条件２を満たさない階調は満足しない階調となる。例えば、図２において、階調１５，１９は、条件１、２を満たすが、階調１６，１７，１８は、条件１，２を満たさない。従って、階調１５は、ＳＦ１，ＳＦ２，ＳＦ３，ＳＦ４を用いて表示され、階調１９は、ＳＦ１，ＳＦ２，ＳＦ５を用いて表示される。一方、階調１６は、ＳＦ５だけを用いて表示できるが、動画疑似輪郭が発生するので、ＳＦ５だけの使用が禁止される。では、階調１６を表現したい時はどうするかと言うと、階調１６より大きい階調（この場合は階調１９）と小さい階調（この場合は階調１５）であって、上記の条件を満たす２つの階調を選択し、選択した２つの階調１９と１５を、空間的、時間的に一定の割合で混合することにより階調１６を表現する。例えば、階調１９と階調１５を１：３の割合で混合すれば階調１６が表現できる。このような混合は、ディザ回路により行うことができる。
しかし、このように、選択した２つの階調を混合した場合、輝度のリニアリティが損なわれるという、更なる問題が発生する。
【特許文献１】特開２００６−１９５４３９号公報
【特許文献２】特開２００５−１４１２０３号公報
【発明の開示】
【発明が解決しようとする課題】
【０００６】
そこで本発明は、動画疑似輪郭を抑えることができるようにすると共に、輝度のリニアリティの乱れも発生しない、画像表示装置および方法を提供する。
【課題を解決するための手段】
【０００７】
本発明の第１の観点は、入力階調を受け、輝度リニアリティが調整された階調を出力し、表示パネルを駆動する画像表示装置であって、入力階調を受け、第１階調と第２階調を出力するディザ処理部と、第１階調、第２階調を、パネル上の明るさと実質等しい明るさを表す第１実効階調、第２実効階調にそれぞれ変換する輝度値変換テーブルと、第１実効階調と第２実効階調を混合して混合階調を生成するミキサと、上記入力階調と混合階調との差分を誤差調整値として記録するラインメモリと、誤差調整値を、新たに受けた入力階調に所定の割合で集積し、誤差調整された入力階調を生成する誤差拡散部とを有し、誤差調整された入力階調を上記ディザ処理部に送り、ディザ処理部からの第１階調、第２階調を用いて表示パネルを駆動する画像表示装置である。
【０００８】
好ましい実施の形態では、さらに、動画疑似輪郭が発生する階調と、発生しない階調とを判断する手段を有する画像表示装置である。
【０００９】
好ましい実施の形態では、さらに、誤差調整された入力階調の内、小数点以下を丸め、入力階調を整数部のみで表す手段を有する画像表示装置である。
【００１０】
好ましい実施の形態では、上記輝度値変換テーブルは、第１階調を、パネル上の明るさと実質等しい明るさを表す第１実効階調に変換する第１輝度値変換テーブルと、第２階調を、パネル上の明るさと実質等しい明るさを表す第２実効階調に変換する第２輝度値変換テーブルとを有する画像表示装置である。
【００１１】
好ましい実施の形態では、上記第１輝度値変換テーブルと第２輝度値変換テーブルは、同じ内容の情報が記憶されている画像表示装置である。
【００１２】
好ましい実施の形態では、さらに、上記第１階調と第２階調を交互に切り替える切り替えスイッチを有する表示装置である。
【００１３】
本発明の第２の観点は、入力階調を受け、輝度リニアリティが調整された階調を出力し、表示パネルを駆動する画像表示方法であって、ａ）入力階調を受け、第１階調と第２階調を出力するステップと、ｂ）第１階調、第２階調を、パネル上の明るさと実質等しい明るさを表す第１実効階調、第２実効階調にそれぞれ変換するステップと、ｃ）第１実効階調と第２実効階調を混合して混合階調を生成するステップと、ｄ）上記入力階調と混合階調との差分を誤差調整値として記録するステップと、ｅ）誤差調整値を、新たに受けた入力階調に所定の割合で集積し、誤差調整された入力階調を生成するステップとを有し、誤差調整された入力階調を上記ステップａ）の入力階調として用い、さらに第１階調、第２階調を用いて表示パネルを駆動する画像表示方法である。
【発明の効果】
【００１４】
本発明に係る画像表示装置および画像表示方法は、入力階調に対する輝度リニアリティの乱れを抑圧することができる。すなわち、入力階調の変化量と、パネル上の輝度値の変化量を一致させることができ、忠実な輝度表示を行うことができる。
【発明を実施するための最良の形態】
【００１５】
本発明の実施の形態を説明する前に、本発明の基本原理について説明する。
＜本発明の基本原理＞
ＰＤＰの場合について説明すると、パネル上の明るさは、例えば最も暗い０レベルから最も明るい２５５レベルまで調整可能となっている。この調整は、プラズマ放電回数を決めることにより行われる。例えば、ある画素において、プラズマ放電回数が０回であれば、その画素は最も暗く表現され、プラズマ放電回数が２５５回であれば最も明るく表現される。また、１フィールド期間に複数のサブフィールド（ＳＦ）、例えばＳＦ１，ＳＦ２，ＳＦ３，ＳＦ４，ＳＦ５，ＳＦ６，ＳＦ７，ＳＦ８が設定され、それぞれのサブフィールドに所定の階調重み付けがなされる。各サブフィールドは、その重み付けに応じた回数のプラズマ放電がなされる。例えば、サブフィールドＳＦ１，ＳＦ２，ＳＦ３，ＳＦ４，ＳＦ５，ＳＦ６，ＳＦ７，ＳＦ８の重み付けを、それぞれ１，２，４，８，１６，３２，６４，１２８とすれば、サブフィールドＳＦ１では１回のプラズマ放電、サブフィールドＳＦ２では２回のプラズマ放電、サブフィールドＳＦ３では４回のプラズマ放電、・・・サブフィールドＳＦ８では１２８回のプラズマ放電が実行される。サブフィールドＳＦ１からＳＦ８を組み合わせることにより、プラズマ放電回数を、０回から２５５回までのいずれか一つのレベル（すなわち階調）に制御することができる。例えば、２５階調は、プラズマ放電回数を２５回必要とし、このためには、ＳＦ１（１回）、ＳＦ４（８回）、ＳＦ５（１６回）を組み合わせればよい。なお、重み付けは、１，２，４，８，・・・のように２の階乗で増加する場合だけでなく、１，２，３，６，・・・のように経験的に得られた数字に従って増加するようにしても良い。
【００１６】
階調０から階調２５５までをサブフィールドの組み合わせにより設定した場合、動画疑似輪郭が発生しやすい階調と、発生しにくい階調がある。例えば、図３で示す階調テーブルにおいて、階調２４から階調２９までは、動画疑似輪郭が発生しやすい。使用されているサブフィールドの内で、重み付けが一番小さいサブフィールド（ＳＦ１）と、重み付けが一番大きいサブフィールド（以下、最高使用サブフィールドと言う）との間において、未使用のサブフィールドが多く存在する場合は、動画疑似輪郭が発生しやすいことが知られている。
一例として使用されているサブフィールドの内で、重み付けが一番小さいサブフィールド（ＳＦ１）と、最高使用サブフィールドとの間において、未使用のサブフィールドが２以上（但し、一番小さいサブフィールドＳＦ１は数えない）存在する場合、動画疑似輪郭が発生しやすいものとして説明する。階調２４の場合、使用されているサブフィールドの内、重み付けが一番小さいサブフィールドは、ＳＦ２であり、最高使用サブフィールドは、ＳＦ６である。ＳＦ２とＳＦ６の間に２個の未使用サブフィールドＳＦ４，ＳＦ５が存在している。従って、階調２４は、動画疑似輪郭が発生しやすい階調であるとされる。階調２５の場合も同様に２個の未使用サブフィールドがある。更に、階調２６の場合は、最高使用サブフィールドＳＦ６に至るまでに、３個の未使用サブフィールドＳＦ２，ＳＦ３，ＳＦ５が存在している。更に、階調２７の場合は、最高使用サブフィールドＳＦ６に至るまでに、２個の未使用サブフィールドＳＦ３、ＳＦ５が存在している。更に、階調２８の場合は、最高使用サブフィールドＳＦ６に至るまでに、２個の未使用サブフィールドＳＦ３，ＳＦ５が存在している。更に、階調２９の場合は、最高使用サブフィールドＳＦ６に至るまでに、２個の未使用サブフィールドＳＦ２，ＳＦ５が存在している。
【００１７】
ここでの説明のため、動画疑似輪郭が発生しやすい階調を動画疑似輪郭誘発階調（又はＭＰＤＩ（Motion Picture Disturbance Induction）階調）という。従って、階調２４〜２９は、いずれもＭＰＤＩ階調である。
これに対し、動画疑似輪郭が発生しにくい階調を動画疑似輪郭非誘発階調（又はＭＰＤＮ（Motion Picture Disturbance Non-induction）階調）という。従って、階調２０，２１，２２，２３や、階調３０，３１は、ＭＰＤＮ階調である。
【００１８】
動画疑似輪郭が発生しやすいＭＰＤＩ階調を表現する場合は、図３で示す階調テーブルにおいて、その階調に対応したサブフィールドの組み合わせを用いず、その階調より低い方の階調であって初めての動画疑似輪郭が発生しにくいＭＰＤＮ階調（以下、下ＭＰＤＮ階調と言う）のサブフィールドの組み合わせと、その階調より高い方の階調であって初めての動画疑似輪郭が発生しにくいＭＰＤＮ階調（以下、上ＭＰＤＮ階調と言う）のサブフィールドの組み合わせを所定の割合で混合して用いる。例えば階調２５を表現する場合は、下ＭＰＤＮ階調である階調２３と、上ＭＰＤＮ階調である階調３０とを所定の割合で混合してＭＰＤＩ階調２５を表現する。
【００１９】
混合には誤差拡散方法やディザ拡散方法が用いられる。これらの方法は、表現したい目標画素とその周辺画素に対し上ＭＰＤＮ階調と下ＭＰＤＮ階調を所定のルールに従って割り当てる空間的混合を行い、目標画素およびその周辺画素の明るさレベルを面積平均して目標画素の階調を表現する。また、目標画素に対し、たとえばフィールド毎に上ＭＰＤＮ階調と下ＭＰＤＮ階調を所定のルールに従って時間的に切り替えることにより、時間平均して目標画素の階調を表現することも可能である。面積平均と時間平均の両方を用いて目標画素の階調を表現することも可能である。
【００２０】
ところで、ＭＰＤＮ階調を頻繁に用いると、輝度リニアリティの乱れが発生することが認識された。この輝度リニアリティの乱れは次に説明するアドレス回数が多くなると顕著に表れる。
図３で示す階調テーブルには、各階調におけるアドレス回数が示されている。例えば、ＭＰＤＮ階調２３のアドレス回数は５である。これは、使用されるサブフィールドが５つ（ＳＦ１，ＳＦ２，ＳＦ３，ＳＦ４，ＳＦ５）あるからである。また、ＭＰＤＩ階調２４のアドレス回数は３である。これは、使用されるサブフィールドが３つ（ＳＦ２，ＳＦ３，ＳＦ６）あるからである。アドレスを行う毎に電圧が加わり、若干の輝度が発生する。従って、アドレス回数が増えるに従って、より輝度が高くなる。特に、輝度レベルが低い領域においては、アドレスによる輝度変化はより顕著に表れ、輝度リニアリティの乱れの原因となる。
【００２１】
図４のグラフに、入力階調（横軸）と輝度レベル（縦軸）の関係が示されている。たとえば入力階調が２３から２９の区間Ｒ４を見ると、本発明の輝度リニアリティ改善の処理がなされていない場合を表した線Ｌ１は、輝度が明るくなる方向に変位している。このように輝度が明るくなる方向に変位する区間が複数存在する。図４に示す入力階調が０から４０までの間においても６個の区間（Ｒ１，Ｒ２，Ｒ３，Ｒ４，Ｒ５，Ｒ６）が存在する。
【００２２】
本発明は、係るアドレス回数の多いＭＰＤＮ階調を頻繁に用いた場合であっても、輝度リニアリティ改善がなされる画像表示装置および方法を提供する。図４の線Ｌ２は、本発明の輝度リニアリティ改善の処理がなされた場合を表している。
本発明においては、まず、輝度計を用い、各入力階調に対し、パネル上の輝度値を実測する。実測した輝度値（カンデラ／単位面積）を、その輝度値に相当する階調（実効階調）に換算する。入力階調、測定輝度値、実効階調の一例をテーブル１に示す。
【表１】
2009163091.tif 000003
テーブル１
【００２３】
入力階調２３の場合、図３より、サブフィールドＳＦ１，ＳＦ２，ＳＦ３，ＳＦ４，ＳＦ５を用いて発光されるが、その時のパネル上の測定輝度値は３２２９５８カンデラ／単位面積である。しかし、計算上では、入力階調２３に対するパネル上の輝度値は２９７１２１カンデラ／単位面積である。パネル上の測定輝度値３２２９５８カンデラ／単位面積を階調に換算すると２５．０階調に相当する。すなわち、入力階調２３に対しては、パネル上の明るさは、階調２５が入力された時の理想的な明るさで観察される。この換算した階調を実効階調という。好ましくは、入力階調と実効階調は、同じ値を示すべきであるが、実際には、実効階調の方が少しだけ明るくなっている。また、同じ割合で明るくなっているのではなく、変動する度合いは不均一である。
そして、本発明においては、テーブル１を基に、入力階調と実効階調を対比させたテーブル２を作成し、輝度値変換テーブルとして本発明に係る画像表示装置に用いる。
【表２】
2009163091.tif 000004
テーブル２
【００２４】
ここで、実効階調は、パネル上において実際に測定した輝度値を、階調に変換した値である。従って、実効階調は、パネル上の明るさと実質等しい明るさを表す階調である。なお、実効階調は、パネル上において実際に測定した輝度値の代わりに、プラズマ放電回数およびアドレス回数を考慮して、計算により求めることも可能である。
【００２５】
＜実施の形態＞
図５は、本発明に係る画像表示装置のブロック図である。２は入力部、４は誤差拡散部、２２は第１ディザ回路、２４は第２ディザ回路、２６は切り替えスイッチ、２８は第１輝度値変換テーブル、３０は第２輝度値変換テーブル、３２はミキサ、３４は引き算器、３６はラインメモリ、４０は出力部である。誤差拡散部４は、画素遅延回路６，８，１０，係数掛け算器１２，１４，１６，加算器１８，加算器２０を有する。
なお、図４の線Ｌ３は、入力階調に対する輝度測定値を階調で示した値を表し、線Ｌ４は、入力階調に対するテーブル２の内容を示し、線Ｌ５は、入力階調に対する第１ディザ回路２２からの出力を示し、線Ｌ６は、入力階調に対する第１ディザ回路２４からの出力を示す。
入力部２には、各画素に対する階調レベルである入力階調ＩＧａが入力される。入力階調ＩＧａは、誤差拡散部４の加算器２０に加えられ、誤差調整入力階調ＩＧｂとして出力される。後で説明するように、誤差調整入力階調ＩＧｂは、入力階調ＩＧａと近い値ではあるが、調整を受けたため整数部と小数部を有する。
【００２６】
第１ディザ回路２２は、誤差調整入力階調ＩＧｂを受け、整数部だけの誤差調整入力階調ＩＧｂに丸める。この場合、小数部は、切り捨て、切り上げ、または四捨五入などのいずれかの処理がなされる。更に、第１ディザ回路２２においては、誤差調整入力階調ＩＧｂが、図４の動画疑似輪郭が発生しやすい区域（Ｒ１〜Ｒ６等）に属する動画疑似輪郭誘発階調（ＭＰＤＩ階調）か、それ以外の動画疑似輪郭が発生しにくい区域に属する動画疑似輪郭非誘発階調（ＭＰＤＮ階調）かを判断する。この判断は、例えば、予め記録されている階調テーブル（図示せず）を用いて行われる。誤差調整入力階調ＩＧｂが、動画疑似輪郭が発生しにくいＭＰＤＮ階調であれば、誤差調整入力階調ＩＧｂはそのまま出力される。これに対し、誤差調整入力階調ＩＧｂが、動画疑似輪郭が発生しやすいＭＰＤＩ階調であれは、第１ディザ回路２２は、階調テーブルを用いて下ＭＰＤＮ階調を出力する。
【００２７】
第２ディザ回路２４も同様に、誤差調整入力階調ＩＧｂを受け、整数部だけの誤差調整入力階調ＩＧｂに丸める。この場合、小数部は、切り捨て、切り上げ、または四捨五入などのいずれかの処理がなされる。更に、第２ディザ回路２４においても、誤差調整入力階調ＩＧｂが、図４の動画疑似輪郭が発生しやすい区域（Ｒ１〜Ｒ６等）に属する動画疑似輪郭誘発階調（ＭＰＤＩ階調）か、それ以外の動画疑似輪郭が発生しにくい区域に属する動画疑似輪郭非誘発階調（ＭＰＤＮ階調）かを判断する。この判断は、例えば、予め記録されている階調テーブル（図示せず）を用いて行われる。誤差調整入力階調ＩＧｂが、動画疑似輪郭が発生しにくいＭＰＤＮ階調であれば、誤差調整入力階調ＩＧｂはそのまま出力される。これに対し、誤差調整入力階調ＩＧｂが、動画疑似輪郭が発生しやすいＭＰＤＩ階調であれは、第２ディザ回路２４は、階調テーブルを用いて上ＭＰＤＮ階調を出力する。
【００２８】
すなわち、誤差調整入力階調ＩＧｂが、動画疑似輪郭誘発階調（ＭＰＤＩ階調）である場合は、第１ディザ回路２２は、下ＭＰＤＮ階調を出力する一方、第２ディザ回路２４は、上ＭＰＤＮ階調を出力する。また、誤差調整入力階調ＩＧｂが、動画疑似輪郭非誘発階調（ＭＰＤＮ階調）である場合は、第１ディザ回路２２と、第２ディザ回路２４は、いずれも整数値に処理された誤差調整入力階調ＩＧｂを出力する。
【００２９】
切り替えスイッチ２６は、例えばフレーム単位またはフィールド単位（または複数フレーム単位または複数フィールド単位）で切り替え可能な切り替えスイッチである。従って、誤差調整入力階調ＩＧｂが、動画疑似輪郭誘発階調（ＭＰＤＩ階調）である場合は、上ＭＰＤＮ階調と下ＭＰＤＮ階調が決められた割合で時間的に混合されて切り替えスイッチ２６から出力され出力部４０に送られる。また、誤差調整入力階調ＩＧｂが、動画疑似輪郭非誘発階調（ＭＰＤＮ階調）である場合は、整数値に処理された誤差調整入力階調ＩＧｂが、連続的に出力される。この場合は、切り替えスイッチ２６は、単調な切り替え動作を行い、同じ誤差調整入力階調ＩＧｂを第１ディザ回路２２と第２ディザ回路２４から交互に出力するようにしても良い。または、第１ディザ回路２２側（または第２ディザ回路２４側）に固定するようにしても良い。
【００３０】
第１ディザ回路２２と、第２ディザ回路２４の出力は更に、それぞれ、第１輝度値変換テーブル２８と、第２輝度値変換テーブル３０に送られる。第１輝度値変換テーブル２８と第２輝度値変換テーブル３０を合わせて、輝度値変換テーブルと言う。第１輝度値変換テーブル２８と、第２輝度値変換テーブル３０は同じ内容、すなわち上で示したテーブル２のデータを有し、入力階調（整数値のみ）に対し、実効階調（整数値と小数値）が出力される。
第１輝度値変換テーブル２８と、第２輝度値変換テーブル３０のそれぞれに入力される入力階調は、誤差調整入力階調ＩＧｂが、動画疑似輪郭誘発階調（ＭＰＤＩ階調）である場合は、下ＭＰＤＮ階調、上ＭＰＤＮ階調であり、誤差調整入力階調ＩＧｂが、動画疑似輪郭非誘発階調（ＭＰＤＮ階調）である場合は、同じＭＰＤＮ階調である。
【００３１】
前者の場合、すなわち第１輝度値変換テーブル２８、第２輝度値変換テーブル３０のそれぞれに下ＭＰＤＮ階調、上ＭＰＤＮ階調が入力された場合について説明する。
第１輝度値変換テーブル２８は、第１ディザ回路２２から下ＭＰＤＮ階調を入力階調として受け、実効階調（第１実効階調という）を出力する。第２輝度値変換テーブル３０は、第２ディザ回路２４から上ＭＰＤＮ階調を入力階調として受け、実効階調（第２実効階調と言う）を出力する。
【００３２】
次に後者の場合、すなわち第１輝度値変換テーブル２８、第２輝度値変換テーブル３０のそれぞれに同じＭＰＤＮ階調が入力された場合について説明する。
第１輝度値変換テーブル２８、第２輝度値変換テーブル３０は、第１ディザ回路２２、第２ディザ回路２４から同じＭＰＤＮ階調を入力階調として受け、それぞれから第１実効階調、第２実効階調（両者は同じ値となる）を出力する。
このようにして得られた第１実効階調と第２実効階調は、ミキサ３２において混合され、混合輝度値（混合階調とも言う）が出力される。混合割合は、１：１でも良いし、切り替えスイッチ２６が第１ディザ回路２２、第２ディザ回路２４の出力を選択する割合でも良い。混合階調と、誤差調整入力階調ＩＧｂとの差分を引き算器３４で計算され、差分値が調整値としてラインメモリ３６に順次記録される。従って、ラインメモリ３６には、後で説明する調整値（ΔＰａ，ΔＰｂ，ΔＰｃ，・・・）が１ライン分記録されている。
【００３３】
本発明においては、第１輝度値変換テーブル２８と、第２輝度値変換テーブル３０を用いているので、次に説明する誤差拡散部４にフィードバックされる輝度値に関する情報は、計算上予測される輝度値に関する情報ではなく、画面上で実測した輝度値に関する情報である。従って、画面上での輝度値をより正確に制御することができる。
なお、第１輝度値変換テーブル２８と、第２輝度値変換テーブル３０は、全ての階調（階調１から階調２５５まで）についての実効階調を持つようにしても良いが、動画疑似輪郭非誘発階調（ＭＰＤＮ階調）だけについてのテーブルであっても良い。後者の場合は、テーブルサイズを小さくすることができる。
【００３４】
次に、誤差拡散部４について説明する。
誤差拡散部４では、処理が行われる目標画素に対し、処理済みの周辺画素のデータが所定の重み付けで加算されて目標画素の処理がなされる。ここで、誤差拡散部４で行われる、周辺画素を用いた目標画素の処理について説明する。
【００３５】
図６は、画素の配列を示す。目標画素Ｐｏに対し、直前の画素をＰｄ，１ライン上にある真上の画素をＰｂ，Ｐｂの両隣にある画素をＰａ，Ｐｃとする。ラインメモリ３６には周辺画素Ｐａ，Ｐｂ，Ｐｃを含む１ライン上の画素データに対する誤差調整値ΔＰａ，ΔＰｂ，ΔＰｃ，・・・が記録されている。ラインメモリ３６は、１ライン遅延の効果を有する。ラインメモリ３６から出力される誤差調整値ΔＰａ，ΔＰｂ，ΔＰｃは、画素遅延回路６，８，１０で画素単位の遅延がなされ、さらに係数掛け算器１２，１４，１６において所定の重み付けがなされる。また、直前の画素Ｐｄに基づく誤差調整値ΔＰｄは、引き算器３４から得られる。これらの誤差調整値ΔＰａ，ΔＰｂ，ΔＰｃ，ΔＰｄは、重み付けされた後、加算器１８で加算され、その後、加算器２０で目標画素Ｐｏの入力階調ＩＧａに加算される。すなわち、入力階調ＩＧａは、誤差拡散によって調整された調整値が加わって誤差調整後の入力階調ＩＧｂ（誤差調整入力階調ＩＧｂと言う）に変わる。調整値は、正または負の値を取り、整数部と小数部を有する。入力階調ＩＧａは、０から２５５までのいずれかの正の整数で表される階調であるが、誤差調整入力階調ＩＧｂは、入力階調ＩＧａと近い値ではあるが、調整を受けたため整数部と小数部を有する。
【００３６】
このような誤差調整入力階調ＩＧｂが第１ディザ回路２２，第２ディザ回路２４に入力され、上述した処理がなされる。
【００３７】
次に、図７のフローチャートを用いて、図５の画像表示装置の動作を説明する。
ステップＳ１において、入力部２からの入力階調ＩＧａが２５階調であったとする。誤差拡散部４において、誤差が集積され、入力階調ＩＧａが調整されて誤差調整入力階調ＩＧｂとなる。すなわち、誤差拡散部４では、ラインメモリ３６からの誤差調整値を、新たに受けた入力階調に所定の割合で集積し、誤差調整された入力階調を生成する。誤差調整入力階調ＩＧｂは、第１ディザ回路２２，第２ディザ回路２４に送られ、整数化処理がなされる。今、誤差調整入力階調ＩＧｂが２６．３５であったとする。ここでの整数化処理は、四捨五入であるとした場合、小数点以下の小数部は四捨五入され、２６階調が生成される。さらに第１ディザ回路２２、第２ディザ回路２４では、整数化処理された階調２６が、動画疑似輪郭誘発階調（ＭＰＤＩ階調）であるか、動画疑似輪郭非誘発階調（ＭＰＤＮ階調）であるかが判断される。図３より２６階調は、動画疑似輪郭誘発階調（ＭＰＤＩ階調）であるので、第１ディザ回路２２から下ＭＰＤＮ階調（２３階調）が出力される（ステップＳ２）一方、第２ディザ回路２４から、上ＭＰＤＮ階調（３０階調）が出力される（ステップＳ３）。なお、誤差調整入力階調ＩＧｂの整数化処理は、誤差拡散部４において行っても良い。
【００３８】
第１ディザ回路２２からの下ＭＰＤＮ階調（２３階調）、第２ディザ回路２４からの上ＭＰＤＮ階調（３０階調）は、切り替えスイッチ２６に送られ（ステップＳ７）、出力部４０から出力されてパネル表示階調として用いられる。
さらに、第１ディザ回路２２からの下ＭＰＤＮ階調（２３階調）は、第１輝度値変換テーブル２８に送られ、第１実効階調として２５．０階調に変換される（ステップＳ４）。第２ディザ回路２４からの上ＭＰＤＮ階調（３０階調）は、第２輝度値変換テーブル３０に送られ、第２実効階調として３１．０階調に変換される（ステップＳ５）。ミキサ３２では、第１実効階調と第２実効階調が所定の割合で混合される。ここでは１：１の割合で混合されるとすると、混合された結果の階調は、２８．０階調となる（ステップＳ６）。
混合された２８．０階調は、減算器３４に送られ、
（誤差調整入力階調ＩＧｂ）  −  （混合された階調）
または
（整数化処理された誤差調整入力階調ＩＧｂ）  −  （混合された階調）
の計算がなされ、差分値は調整値としてラインメモリに記録される（ステップＳ９）と共に、そのまま誤差拡散部４にも送られる。
【００３９】
以上説明したように、本発明に係る画像表示装置は、第１ディザ回路２２、第２ディザ回路２４から出力される階調を、第１輝度値変換デーブル２８、第２輝度値変換テーブル３０により、パネルで実際に測定した輝度値を実効階調に変換した値を元に誤差拡散を行っているので、より正確に輝度調整を行うことが可能となる。図４の線Ｌ２は、本発明の輝度リニアリティ改善の処理がなされた結果を示しており、入力階調に対し、リニアな輝度変化が示されている。
【産業上の利用可能性】
【００４０】
本発明は、画像表示装置および画像表示方法に利用することができる。
【図面の簡単な説明】
【００４１】
【図１】従来の例に係る、ＰＤＰにおけるサブフィールドの構成の一例を示す説明図
【図２】従来の例に係る、入力階調とサブフィールドの重み付けとの関係を示した表
【図３】本発明に係る、入力階調とサブフィールドの重み付けとの関係を示した表
【図４】入力階調と、実効階調との関係を示したグラフ
【図５】本発明に係る、画像表示装置のブロック図
【図６】パネル上の注目画素と、誤差拡散を行う周辺画素を示した説明図
【図７】本発明に係る、画像表示方法を示すフローチャート
【符号の説明】
【００４２】
２…入力部
４…誤差拡散部
２２…第１ディザ回路
２４…第２ディザ回路
２６…切り替えスイッチ
２８…第１輝度値変換テーブル
３０…第２輝度値変換テーブル
３２…ミキサ
３４…引き算器
３６…ラインメモリ
４０…出力部
【図１】
2009163091.tif 000005
【図２】
2009163091.tif 000006
【図３】
2009163091.tif 000007
【図４】
2009163091.tif 000008
【図５】
2009163091.tif 000009
【図６】
2009163091.tif 000010
【図７】
2009163091.tif 000011